(57)【特許請求の範囲】
【請求項１】
リン酸チタニウム系化合物を含む溶液を対象物に吹き付けるための噴霧装置であって、
噴霧口から前記溶液をミスト状に噴霧する二流体ノズルと、
前記二流体ノズルに対して前記溶液を供給する液体貯留部と、
前記二流体ノズルに対して圧縮空気を供給すると共にコンプレッサが接続される圧縮気体供給部と、
を備え、
前記二流体ノズルは、
前記噴霧口の直径が０．５ｍｍ以上３．０ｍｍ未満で、かつ
前記圧縮気体供給部に対して０．５ＭＰａの圧縮気体を供給すると、前記噴霧口から噴霧されるミストの平均粒子径が１０μｍ以上１１μｍ以下となるように構成されている、
噴霧装置。
【請求項２】
前記二流体ノズルのスプレーパターンが、円錐形状のスプレーパターンである、
請求項１記載の噴霧装置。
【請求項３】
請求項１又は請求項２に記載の噴霧装置を用いて、リン酸チタニウム系化合物を含む溶液を対象物に吹き付ける塗装方法であって、
前記噴霧装置の前記圧縮気体供給部に対して、０．４ＭＰａ以上０．６ＭＰａ以下の圧縮気体を供給する工程と、
前記対象物に対し、２９０ｍｍ以上３１０ｍｍ以下の距離から前記溶液を噴霧する工程と、
を含む、塗装方法。
【発明の詳細な説明】
【技術分野】
【０００１】
本発明は、噴霧装置及びこれを用いた塗装方法に関する。
【背景技術】
【０００２】
特許文献１には、従来の噴霧装置が記載されている。特許文献１記載のスプレーガンは、圧縮気体が供給される気体供給口と、液体が供給される液体供給口と、液体を霧状に吐出する霧化気体用開口部と、を備える。気体供給口に圧縮気体が供給されると、流路を流れる圧縮気体の作用によって液体供給口から液体が取り込まれ、霧化気体用開口部から霧状の液体が吐出される。
【０００３】
霧化気体用開口部の開口直径は、１．０ｍｍ以上３．０ｍｍ未満に設定されている。
【先行技術文献】
【特許文献】
【０００４】
【特許文献１】特開２０１６−１１７０２３号公報
【発明の概要】
【発明が解決しようとする課題】
【０００５】
このように、スプレーガンの噴霧口の直径が１．０ｍｍ以上３．０ｍｍ未満に設定されていると、溶液に含まれる粒子が詰まりにくい。しかし、特許文献１記載のスプレーガンでは、ミストが、対象物の表面で水滴になりやすく、対象物に液だれが生じやすいという問題がある。
【０００６】
本発明は、上記事情に鑑みてなされ、リン酸チタニウム系化合物を含む溶液を噴霧する際に、噴霧口が詰まりにくく、かつ液だれが生じにくい、噴霧装置及びこれを用いた塗装方法を提供することを目的とする。
【課題を解決するための手段】
【０００７】
本発明に係る一態様の噴霧装置は、リン酸チタニウム系化合物を含む溶液を対象物に吹き付けるための噴霧装置である。噴霧装置は、噴霧口から前記溶液をミスト状に噴霧する二流体ノズルと、前記二流体ノズルに対して前記溶液を供給する液体貯留部と、前記二流体ノズルに対して圧縮空気を供給すると共にコンプレッサが接続される圧縮気体供給部と、を備え、前記二流体ノズルは、前記噴霧口の直径が０．５ｍｍ以上でかつミストの平均粒子径が１１μｍ以下に設定されている。
【０００８】
本発明に係る一態様の噴霧装置では、上記態様において、前記二流体ノズルは、前記圧縮気体供給部に対して０．５ＭＰａの圧縮気体を供給すると、前記噴霧口から噴霧されるミストの平均粒子径が１０μｍ以上１１μｍ以下となるように構成されていることが好ましい。なお、ここでいう「０．５ＭＰａの圧縮気体を供給する」とは、気体供給装置（例えば、コンプレッサ）での設定値を意味する。このため、二流体ノズルに入力される圧縮気体の圧力の実際の数値には、数パーセント程度の誤差がある場合がある。
【０００９】
本発明に係る一態様の噴霧装置では、上記態様において、前記二流体ノズルのスプレーパターンが、円錐形状のスプレーパターンであることが好ましい。
【００１０】
本発明に係る一態様の塗装方法は、上記噴霧装置を用いて、リン酸チタニウム系化合物を含む溶液を対象物に吹き付ける塗装方法である。塗装方法は、前記噴霧装置の前記圧縮気体供給部に対して、０．４ＭＰａ以上０．６ＭＰａ以下の圧縮気体を供給する工程と、前記対象物に対し、２９０ｍｍ以上３１０ｍｍ以下の距離から前記溶液を噴霧する工程と、を含む。
【発明の効果】
【００１１】
本発明に係る上記態様の噴霧装置及びこれを用いた塗装方法は、リン酸チタニウム系化合物を含む溶液を噴霧する際に、噴霧口が詰まりにくく、かつ液だれが生じにくい、という利点がある。
【図面の簡単な説明】
【００１２】
【図１】図１は、本発明に係る一実施形態の噴霧装置の正面図である。
【図２】図２は、同上の噴霧装置の二流体ノズル周辺における一部を破断した拡大図である。
【図３】図３は、同上の二流体ノズルのスプレーパターンの概略図である。
【図４】図４（Ａ）は、実施例の噴霧装置を用いて塗装したガラス板の正面図である。図４（Ｂ）は、比較例の噴霧装置を用いて塗装したガラス板の正面図である。
【発明を実施するための形態】
【００１３】
＜実施形態＞
（１）全体
本実施形態に係る噴霧装置１は、リン酸チタニウム系化合物を含む溶液を対象物に吹き付けるための装置である。溶液は、リン酸チタニウム系化合物を有効成分とする溶液である。リン酸チタニウム系化合物は、具体的には、Ｔｉ（ＯＨ）ｘ（ＰＯ４）ｙ（ＨＰＯ４）ｚ（Ｈ２ＰＯ４）ｌ（ＯＲ）ｍ（Ｒは炭素数１〜４のアルキル基、ｘ＝０，１，２，３、ｙ＝０，１，２，３，４、ｚ＝０，１，２，３，４、ｌ＝０，１，２，３，４およびｍ＝０，１，２，３であり、ｘ＋３ｙ＋２ｚ＋ｌ＋ｍ＝４を満たす）により表される化合物である。このように表される化合物の一種又は二種以上の化合物を、本明細書にいう「リン酸チタニウム系化合物」と定義する。
【００１４】
「リン酸チタニウム系化合物」にはその縮合体も含まれる。縮合体としては、例えば、上記するリン酸チタニウム系化合物が、２〜１０分子程度縮合した化合物が挙げられる。
【００１５】
リン酸チタニウム系化合物の製造方法としては、特に制限はなく、公知の製造方法（例えば、特開２００２−３０８７１２等に記載された製造方法）を採用することができる。一例としては、四塩化チタンの加水分解物とリン酸とを反応させる事によって、上記リン酸チタニウム系化合物を得ることができる。すなわち、上記リン酸チタニウム系化合物とは、四塩化チタン加水分解物のリン酸化物（Phosphorylation of titanium tetrachloride hydrolyzate）と言うこともできる。本実施形態に用いりリン酸チタニウム系化合物を含む溶液は、沈殿物がなく無色透明である。
【００１６】
リン酸チタニウム系化合物を含む溶液を対象物に吹き付けることで、光照射なしで、消臭、防汚、抗菌及び防カビの効果を対象物に及ぼすことができる。また、リン酸チタニウム系化合物の溶液には、抗ウイルス剤を含んでもよい。
【００１７】
溶液を吹き付ける対象物としては、特に制限はないが、例えば、ＯＡ機器、家電、空調機器、掃除機、机、椅子、ソファー、ベンチ、窓、壁、床、天井、つり革、ハンドル、シート、自動改札機、自動券売機、自動販売機、扉、柵、手摺、食器、調理用具、包装フィルム、包装袋、瓶、ボトル、包装パック、シンク、便器、文房具、書籍、棚、歯ブラシ、鏡、空調フィルター、マスク、コート、ジャケット、ズボン、スカート、病衣、白衣、手術衣、ワイシャツ、ニットシャツ、ブラウス、セーター、カーディガン、ナイトウエア、肌着、下着、オムツ、サポーター、靴下、タイツ、ストッキング、帽子、スカーフ、マフラー、襟巻き、ストール、手袋、服の裏地、服の芯地、服の中綿、作業着、ユニフォーム、学童用制服等の衣料、カーテン、アミ戸、布団地、布団綿、布団カバー、枕カバー、シーツ、マット、カーペット、タオル、ハンカチ、壁布、バンドエイド、包帯等が挙げられる。
【００１８】
本実施形態に係る噴霧装置１は、溶液を対象物の一面（「吹付け面」という場合がある）に吹き付けた際、吹付け面に対して適切な量を吹き付けながらも、吹付け面に液だれが生じるのを防ぐことができる。これによって、乾燥後において、吹付け面に、溶液の厚みのムラができるのを抑制できる。吹付け面に溶液の厚みのムラが生じると、対象物の見栄えを損なう上に、例えば、抗ウイルス剤を含む溶液の場合には、ウイルスが接触しても不活化しない可能性がある。
【００１９】
噴霧装置１は、図１に示すように、液体貯留部２と、圧縮気体供給部３と、二流体ノズル４と、を備える。
【００２０】
（２）液体貯留部
液体貯留部２は、貯留された溶液を二流体ノズル４に対して供給する部分である。液体貯留部２としては、例えば、ボトル状の容器、缶、袋、カップ、ボンベ等が挙げられるが、本実施形態では、ボトル状の容器で構成されている。液体貯留部２は、容器本体２１と、キャップ２２と、配管２３と、配管保持部２４と、継手２５と、を備える。
【００２１】
容器本体２１は、溶液を貯留する容器である。容器本体２１は、透明であり、胴部２１２に目盛り２１１が設けられている。溶液の液面と目盛り２１１とを照らし合わせることによって、容器本体２１に貯留された溶液の量を把握することができる。
【００２２】
容器本体２１の材質としては、特に制限はなく、例えば、合成樹脂、金属、ガラス等が挙げられる。合成樹脂としては、例えば、ポリプロピレン、ポリエチレンテレフタレート、ポリスチレン、ナイロン、塩化ビニル等が挙げられる。本実施形態に係る容器本体２１は、透明であるが、透明でなくてもよい。なお、ここでいう「透明」とは、貯留された溶液の液面が視認できる程度に透明であればよく、半透明も含む。貯留された溶液の液面が視認できれば、透明度に制限はなく、容器の透明度が、例えば、５％程度でも「透明」の範疇である。
【００２３】
キャップ２２は、容器本体２１の口部２１３に対して、取外し可能に取り付けられる。口部２１３に対するキャップ２２の取付けは、例えば、ねじ込み、嵌め込み、差し込み、スナップフィット構造、中心軸に直交する方向へのスライド等により実現される。本実施形態に係るキャップ２２は、口部２１３に対してねじ込みによって取り付けられる。キャップ２２は、図２に示すように、ボディ２２１と、天板部２２２と、ボス部２２３と、を備える。
【００２４】
ボディ２２１は、口部２１３にねじ込まれる部分であり、円筒状に形成されている。天板部２２２は、ボディ２２１の軸方向の開口面側とは反対側の端部を閉じる部分である。天板部２２２の中央には、貫通穴が形成されている。ボス部２２３は、貫通穴の外周部から容器本体２１の中心軸に沿って容器本体２１側に突出している。ボス部２２３は、天板部２２２に対し、溶接、接着、一体成形等により固定されている。
【００２５】
配管２３は、容器本体２１に貯留された溶液を吸い込み、二流体ノズル４に送る送液路を構成する。配管２３は、本実施形態では、チューブであるが、例えば、合成樹脂、金属、ガラス等によって構成されてもよい。配管２３は、キャップ２２に対して配管保持部２４を介して固定されている。配管２３は、容器本体２１の内部から二流体ノズル４まで延びていてもよいが、例えば、継手２５の途中まで延びてもよい。この場合、配管２３と継手２５によって、送液路が構成される。
【００２６】
配管保持部２４は、ボス部２２３にねじ込まれており、配管２３を保持する。配管保持部２４は、本実施形態では、チューブ継手により構成されているが、例えば、ゴム栓等で構成されてもよい。
【００２７】
継手２５は、容器を二流体ノズル４に対して接続する。継手２５は、中心軸方向の一端部が、ボス部２２３に取り付けられ、他端部が二流体ノズル４に接続される。継手２５の中心軸方向の一端部は、ボス部２２３に取り付けられると共に配管２３に接続される。これにより、継手２５の内部を通して、容器本体２１の内部と二流体ノズル４とが通じる。
【００２８】
（３）圧縮気体供給部
圧縮気体供給部３は、コンプレッサからの圧縮気体（例えば、圧縮空気）を取り込み、かつ当該圧縮気体を二流体ノズル４に供給する。圧縮気体としては、空気のほか、不活性ガスであってもよい。ここでは、圧縮気体の一例として、圧縮空気を例示して説明する。
【００２９】
圧縮気体供給部３は、取付け部３１と、エアガン３２と、を備える。取付け部３１は、例えば、継管（ニップル）で構成されているが、二流体ノズル４に対してエアガン３２を取り付けることができれば、特に制限はなく、例えばエルボ継手等で構成されてもよい。
【００３０】
エアガン３２は、取付け部３１によって二流体ノズル４に取り付けられる。エアガン３２は、一端部に握り部３２６が形成された略Ｌ字状のガン本体３２１と、接続部３２２と、出力部３２３と、空気流路３２４と、トリガ３２５と、を備える。
【００３１】
接続部３２２は、エアガン３２において、圧縮空気が入力される部分である。本実施形態に係る接続部３２２は、握り部３２６の端部に取り付けられたカプラで構成されている。接続部３２２は、コンプレッサのホースが取外し可能に取り付けられる。
【００３２】
出力部３２３は、接続部３２２から入力された圧縮空気が出る部分である。出力部３２３は、ガン本体３２１の接続部３２２とは反対側の端部に形成された開口で構成されている。出力部３２３には、取付け部３１が取り付けられる。
【００３３】
空気流路３２４は、ガン本体３２１の内部に形成されており、出力部３２３と接続部３２２とを通じさせる。
【００３４】
トリガ３２５は、第一位置と第二位置との間で移動可能であり、空気流路３２４を流れる圧縮空気の通過の許可と不許可とを切り替える。本実施形態に係るトリガ３２５は、ガン本体３２１に対して、軸支されている。トリガ３２５が第一位置にあると、空気流路３２４が遮断され、出力部３２３からの圧縮空気が停止する。トリガ３２５が第二位置にあると、接続部３２２と出力部３２３とが通じ、圧縮空気が出力部３２３から出る。トリガ３２５は、トリガ３２５に対して力を加えない状態では、第一位置に位置しており、ユーザがトリガ３２５に対して第二位置に向かって力を加えることで、第二位置に切り替えられる。
【００３５】
このため、ユーザは、握り部３２６を握り、トリガ３２５を引いてトリガ３２５を第二位置に切り替えると、接続部３２２と出力部３２３とが通じ、圧縮空気が出力部３２３から出る。一方、トリガ３２５を放すと、トリガ３２５は第一位置に切り替えられ、出力部３２３からの圧縮空気が停止する。なお、トリガ３２５は、本実施形態ではレバー方式であるが、例えば、押ボタンスイッチ方式等、他の方式であってもよい。
【００３６】
（４）二流体ノズル
二流体ノズル４は、噴霧口４３から溶液をミスト状に噴霧するスプレーノズルである。二流体ノズル４は、気体供給口４１と、液体供給口４２と、複数の噴霧口４３と、を有し、これらは互いに内部の流路で通じている。液体供給口４２には、液体貯留部２の継手２５が接続され、気体供給口４１には、圧縮気体供給部３の取付け部３１が接続される。
【００３７】
二流体ノズル４は、複数の噴霧口４３によって、図３に示すように、円錐形状のスプレーパターンＳＰを形成する。円錐形状のスプレーパターンＳＰとしては、中空の円錐形状、及び中実の円錐形状のいずれであってもよいが、ここでは中空の円錐形状のスプレーパターンＳＰが採用されている。また、噴霧角度αは、α＝５５°以上７０°以下であることが好ましく、より好ましくは、α＝６０°である。ここでいう「噴霧角度」とは、スプレーパターンＳＰの中央線を通り、かつ当該中央線に平行な一平面上において、最も外側を通るミストでなす角度を意味する。
【００３８】
各噴霧口４３の直径は、０．５ｍｍ以上である（本実施形態に係る噴霧口４３の直径は０．５ｍｍ）。噴霧口４３の直径が０．５ｍｍ未満であると、リン酸チタニウム系化合物を含む溶液を噴霧する際に、噴霧口４３に粒子が詰まりやすい。一般に、噴霧口４３が大きくなるほど、噴霧するミストの平均粒子径が大きくなるが、本実施形態に係る二流体ノズル４では、ミストの平均粒子径が１１μｍ以下となるように設定されている。
【００３９】
ミストの平均粒子径が１１μｍを超えると、対象物の一面に溶液を吹き付けた際、液だれが生じやすい。したがって、本実施形態に係る二流体ノズル４では、溶液が詰まりにくい上に、対象物の一面に溶液を吹き付けた際、液だれが生じにくい。
【００４０】
ここで、本明細書でいう「平均粒子径」は、二流体ノズル４から噴霧されたミストに対して、レーザーを用いた位相ドップラー粒子分析計を用い、噴霧口４３から噴霧方向に３００ｍｍ離れた位置におけるミストの粒子径分布を測定したときのザウター平均粒子径を意味する。ミストの平均粒子径は、二流体ノズル４に供給される空気圧に応じて変化するが、本明細書でいう「ミストの平均粒子径が１１μｍ以下」とは、通常使用される圧力での平均粒子径が１１μｍ以下であることを意味する。本実施形態に係る二流体ノズル４では、供給される空気圧が、０．２４５ＭＰａ以上０．６ＭＰａ以下の範囲では、いずれの空気圧でも平均粒子径が１１μｍ以下となるように設定されている。
【００４１】
また、二流体ノズル４は、噴霧量が２．０Ｌ／ｈｒ以上であることが好ましい。これによって、作業効率が損なわれるのを防ぐことができる。
【００４２】
二流体ノズル４の材質としては、特に制限はないが、例えば、ステンレス鋼、ポリプロピレン、ポリフェニレンサルファイド、硬質塩化ビニル、耐熱塩化ビニル、ポリテトラフルオロチレン、ポリエチレン、ポリアミド等が挙げられる。
【００４３】
（５）方法
次に、本実施形態に係る噴霧装置１を用いて、リン酸チタニウム系化合物を含む溶液を対象物に吹き付ける塗装方法を説明する。塗装方法は、準備工程と、塗装工程と、を備える。
【００４４】
準備工程は、塗装の準備を行う工程である。準備工程では、液体貯留部２にリン酸チタニウム系化合物を含む溶液を入れ、噴霧装置１の接続部３２２に対し、コンプレッサのホースを接続する。そして、コンプレッサの設定値の圧力を、所定の圧力に設定する。ここでいう「所定の圧力」とは、噴霧装置１の噴霧中において、ミストの平均粒子径として、１１μｍ以下が得られるような圧力を意味する。実際の噴霧中は、後述するように、ここでの設定値から数パーセント低下した数値になる。本実施形態では、所定の圧力として、０．４ＭＰａ以上０．６ＭＰａが好ましく、具体的な一例として、０．６ＭＰａが挙げられる。
【００４５】
塗装工程は、噴霧装置１を用いて、対象物に溶液を吹き付ける工程である。ユーザは、エアガン３２の握り部３２６を握り、噴霧口４３を、対象物に対して、２９０ｍｍ以上３１０ｍｍ以下の距離、好ましくは３００ｍｍの距離となるように位置させる。
【００４６】
この状態で、トリガ３２５を引いて第二位置に切り替え、噴霧口４３から溶液を噴霧する。すると、コンプレッサの圧力は０．５ＭＰａに下がるが、このまま、噴霧装置１による噴霧を継続すればよい。コンプレッサの圧力が０．５ＭＰａのときの、噴霧口４３から噴霧されるミストの平均粒子径は、１０μｍ以上１１μｍ以下となるように設定されているため、対象物に吹き付けられるミストは水滴になりにくく、液だれになりにくい。
【００４７】
ユーザは、トリガ３２５を第二位置に保ったまま、噴霧装置１を平行移動させ、対象物の一面全体に塗装を行う。これによって、対象物に対して、液だれが生じない適切な塗装を行うことができ、乾燥した溶液の厚さにムラが生じない。
【００４８】
（６）試験
以下、実施例により本発明を更に詳細に説明する。ただし、本発明に係る噴霧装置は、以下の実施例に限定されない。
【００４９】
実施例に係る噴霧装置と、比較例に係る噴霧装置と、を用いて、ガラス面に対して、溶液を吹き付ける試験を行った。
【００５０】
実施例に係る噴霧装置は、上記実施形態に係る噴霧装置と同じ構成である。二流体ノズルは、噴霧口の直径が０．５ｍｍであり、０．５ＭＰａの圧縮空気を供給したときの平均粒子径が１０．５μｍに設定されている。噴霧装置に対して、コンプレッサから圧力０．５ＭＰａの圧縮空気を供給した。
【００５１】
比較例に係る噴霧装置は、カップガン（アネスト岩田製  品番：LPH50062G+PC-4S）を用いた。ノズルの噴霧口の直径は０．６ｍｍである。カップガンに対して、コンプレッサから、圧力０．５ＭＰａの圧縮空気を供給した。
【００５２】
溶液として、リン酸チタニウム系化合物を含む溶液１０ｃｃを用い、実施例に係る噴霧装置と比較例に係る噴霧装置とを使用して、それぞれ、ガラス板に対して、ガラス板から３００ｍｍ離れた位置から吹き付けた。
【００５３】
その後、ガラス板の様子を撮影した。図４（Ａ）には、実施例に係る噴霧装置を用いて吹き付けた様子を示し、図４（Ｂ）には、比較例に係る噴霧装置を用いて吹き付けた様子を示す。
【００５４】
図４（Ａ），図４（Ｂ）からわかるように、実施例に係る噴霧装置を用いて溶液を吹き付けても、溶液のミストが水滴にならず、液だれが生じていないのに対し、比較例に係る噴霧装置を用いて溶液を吹き付けると、溶液のミストが水滴になり、一部液だれが生じた。このことからわかるように、ノズルとして、噴霧口の直径が０．５ｍｍ以上でかつミストの平均粒子径が１１μｍ以下に設定されたものを用いると、液だれが生じにくいことがわかった。
【００５５】
＜変形例＞
上記実施形態は、本発明の様々な実施形態の一つに過ぎない。実施形態は、本発明の目的を達成できれば、設計等に応じて種々の変更が可能である。以下、実施形態の変形例を列挙する。以下に説明する変形例は、適宜組み合わせて適用可能である。
【００５６】
上記実施形態に係る圧縮気体供給部３は、取付け部３１と、エアガン３２とで構成されたが、本発明では、エアガン３２はなくてもよく、例えば、二流体ノズル４に対して、コンプレッサにつながるホースを接続する継手２５のみで構成されてもよい。
【００５７】
本明細書にて、「略平行」、又は「略直交」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００５８】
また、本明細書において「端部」及び「端」などのように、「…部」の有無で区別した表現が用いられている。例えば、「端」は物体の末の部分を意味するが、「端部」は「端」を含む一定の範囲を持つ域を意味する。端を含む一定の範囲内にある点であれば、いずれも、「端部」であるとする。他の「…部」を伴った表現についても同様である。
【００５９】
＜効果＞
このように、本実施形態に係る噴霧装置１では、二流体ノズル４が、噴霧口４３の直径が０．５ｍｍ以上でかつミストの平均粒子径が１１μｍ以下に設定されているため、リン酸チタニウム系化合物を含む溶液を対象物に吹き付けた際、対象物の一面において、液だれやムラが生じにくい。したがって、本実施形態に係る噴霧装置１は、リン酸チタニウム系化合物を対象物に吹き付けることに適している。
【００６０】
また、二流体ノズル４は、圧縮気体供給部３に対して０．５ＭＰａの圧縮気体を入れると、噴霧口４３から噴霧されるミストの平均粒子径が１０μｍ以上１１μｍ以下となるように構成されているため、適切な噴霧量を確保しながら、液だれやムラが生じにくくできる。
【００６１】
また、二流体ノズル４のスプレーパターンＳＰが、円錐形状のスプレーパターンＳＰであるため、吹き付けた際の面積を広くすることができ、作業効率を向上させることができる。
【符号の説明】
【００６２】
１        噴霧装置
２        液体貯留部
３        圧縮気体供給部
４        二流体ノズル
４３      噴霧口
ＳＰ      スプレーパターン
【要約】
【課題】リン酸チタニウム系化合物を含む溶液を噴霧する際に、噴霧口が詰まりにくく、かつ液だれが生じにくい、噴霧装置及びこれを用いた塗装方法を提供する。
【解決手段】リン酸チタニウム系化合物を含む溶液を対象物に吹き付けるための噴霧装置１であって、噴霧口４３から溶液をミスト状に噴霧する二流体ノズル４と、二流体ノズル４に対して溶液を供給する液体貯留部２と、二流体ノズル４に対して圧縮空気を供給すると共にコンプレッサが接続される圧縮気体供給部３と、を備える。二流体ノズル４は、噴霧口４３の直径が０．５ｍｍ以上でかつミストの平均粒子径が１１μｍ以下に設定されている。
【選択図】図１【図１】
0006932410.tif 000002
【図２】
0006932410.tif 000003
【図３】
0006932410.tif 000004
【図４】
0006932410.tif 000005